【手続補正書】
【提出日】平成15年10月21日(2003.10.21)
【手続補正１】
【補正対象書類名】明細書
【補正対象項目名】特許請求の範囲
【補正方法】変更
【補正の内容】
【特許請求の範囲】
【請求項１】
複数の色光を画像情報に応じて変調する複数の光変調装置と、この光変調装置で変調された光を合成するプリズムとを備えたプロジェクタであって、
前記複数の光変調装置は、前記プリズムの光入射端面に、所定の間隔を隔てて取り付けられ、
前記光変調装置とプリズムの光入射端面との間には、偏光板が設けられ、
この偏光板は、前記各光変調装置に入射する光束の中心線によって規定される面と直交する方向から挿脱可能とされていることを特徴とするプロジェクタ。
【請求項２】
請求項１に記載のプロジェクタにおいて、
前記プリズムには、当該プリズムの上面に当接する当接部と、この当接部の端縁から前記プリズムの光入射端面に沿って下方に延び、前記光変調装置およびプリズムの光入射端面の間に設けられた延出部とを備えたベース部材が設けられ、  前記偏光板は、前記延出部に取り付けられていることを特徴とするプロジェクタ。
【請求項３】
請求項２に記載のプロジェクタにおいて、
前記複数の光変調装置は、赤色、緑色および青色の光束を変調する３つの光変調装置であり、
前記ベース部材は、少なくとも前記青色の光束を変調する青色光変調装置と、プリズムの青色光入射端面との間に設けられる前記延出部を有することを特徴とするプロジェクタ。
【請求項４】
請求項３に記載のプロジェクタにおいて、
前記ベース部材は、前記赤色、緑色および青色の光束を変調する各光変調装置と、プリズムの各光入射端面との間にそれぞれ設けられる前記延出部を有することを特徴とするプロジェクタ。
【請求項５】
請求項２〜請求項４のいずれかに記載のプロジェクタにおいて、前記ベース部材は、前記プリズムに固着されていることを特徴とするプロジェクタ。
【請求項６】
請求項２〜請求項５のいずれかに記載のプロジェクタにおいて、前記延出部は、前記偏光板で偏光された光を前記プリズムに入射させるための開口を備えて四角枠状に形成され、
前記延出部の両側端には、前記光変調装置側に突出する突出片が設けられていることを特徴とするプロジェクタ。
【請求項７】
請求項６に記載のプロジェクタにおいて、
前記突出片の先端には、対向する突出片に向かって突出する突起部が設けられていることを特徴とするプロジェクタ。
【請求項８】
請求項２〜請求項５のいずれかに記載のプロジェクタにおいて、前記延出部は、前記偏光板で偏光された光を前記プリズムに入射させるための開口を備えて略四角枠状に形成され、
前記延出部の両側端には、前記プリズムの光入射端面側に突出する突出片が設けられているとともに、その一部分が前記光変調装置側に切り起こされて形成された切り起こし片が設けられていることを特徴とするプロジェクタ。
【請求項９】
請求項８に記載のプロジェクタにおいて、２枚の前記偏光板が一つの前記光変調装置に対応して取り付けられていることを特徴とするプロジェクタ。
【請求項１０】
請求項２〜請求項９のいずれかに記載のプロジェクタにおいて、前記延出部の延出方向先端には、前記偏光板を支持する支持部が設けられていることを特徴とするプロジェクタ。
【請求項１１】
請求項２〜請求項１０のいずれかに記載のプロジェクタにおいて、
前記偏光板は、固着されていることを特徴とするプロジェクタ。
【請求項１２】
請求項２〜請求項１０のいずれかに記載のプロジェクタにおいて、
前記延出部には、前記偏光板を装着後に曲げて押え込む折り曲げ部が設けられていることを特徴とするプロジェクタ。
【請求項１３】
請求項２〜請求項１２のいずれかに記載のプロジェクタにおいて、
前記プリズムで合成された光を拡大投射する投写レンズを備え、
前記ベース部材は、前記光変調装置とプリズムの光入射端面との間の隙間を覆い、前記投写レンズ側に漏れる光を遮光する遮光部を備えていることを特徴とするプロジェクタ。
【請求項１４】
請求項１３に記載のプロジェクタにおいて、
前記遮光部は、前記プリズムの出射端面に沿って延びる板状に形成されているとともに、当該プリズムの出射端面に応じた部分が開口され、
前記遮光部の前記光変調装置とプリズムの光入射端面との間の隙間を覆う両側端は、断面Ｚ字形状に形成されていることを特徴とするプロジェクタ。
【請求項１５】
請求項２〜請求項１４のいずれかに記載のプロジェクタにおいて、
前記ベース部材は、金属製であるとともに、その表面には、黒色の艶消し処理が施されていることを特徴とするプロジェクタ。
【請求項１６】
請求項１〜請求項１５のいずれかに記載のプロジェクタにおいて、
前記複数の光変調装置は、赤色、緑色および青色の光束を変調する３つの光変調装置であり、
前記各光変調装置は、平面四角形状に形成され、
前記３つの光変調装置およびプリズムは、当該各光変調装置の四隅部分にそれぞれ挿入される棒状部材を前記プリズムの光入射端面に接着剤で固定する構造とされていることを特徴とするプロジェクタ。
【請求項１７】
請求項１６に記載のプロジェクタにおいて、
前記延出部は、前記偏光板の挿脱方向に直交する方向に対向配置される前記棒状部材間の寸法よりも幅狭の寸法を有していることを特徴とするプロジェクタ。
【請求項１８】
請求項１〜請求項１７のいずれかに記載のプロジェクタにおいて、
前記偏光板は、サファイアガラスからなるサファイア基板を含んで構成されていることを特徴とするプロジェクタ。
【請求項１９】
請求項１〜請求項１８のいずれかに記載のプロジェクタにおいて、前記ベース部材の前記プリズム当接部の表面に板状部材が設けられていることを特徴とするプロジェクタ。
【請求項２０】
請求項６〜請求項１９のいずれかに記載のプロジェクタにおいて、両端側に設けられた前記突出片の間の寸法は、前記偏光板の幅寸法と略同じであることを特徴とするプロジェクタ。
【請求項２１】
複数の色光を画像情報に応じて変調する複数の光変調装置と、この光変調装置で変調された光を合成するプリズムとを備えたプロジェクタであって、
前記複数の光変調装置は、前記プリズムの光入射端面に、所定の間隔を隔てて取り付けられ、
前記光変調装置とプリズムの光入射端面との間には、偏光板が設けられ、
前記プリズムには、当該プリズムの上面に当接する当接部と、この当接部の端縁から前記プリズムの光入射端面に沿って下方に延び、前記光変調装置およびプリズムの光入射端面の間に設けられた延出部とを備えたベース部材が設けられ、  
前記延出部は、前記偏光板で偏光された光を前記プリズムに入射させるための開口を備えて四角枠状に形成され、
前記延出部の両側端には、前記光変調装置側に突出する突出片が設けられ、
前記延出部の延出方向先端には、前記偏光板を支持する支持部が設けられ、
前記偏光板は、前記延出部に取り付けられていることを特徴とするプロジェクタ。
【手続補正２】
【補正対象書類名】明細書
【補正対象項目名】００２２
【補正方法】変更
【補正の内容】
【００２２】
さらに、前述の延出部は、偏光板で偏光された光をプリズムに入射させるための開口を備えて略四角枠状に形成され、延出部の両側端には、プリズムの光入射端面側に突出する突出片が設けられているとともに、その一部分が光変調装置側に切り起こされて形成された切り起こし片が設けられていることが好ましい。また、２枚の前記偏光板が一つの前記光変調装置に対応して取り付けられていることが好ましい。
【手続補正３】
【補正対象書類名】明細書
【補正対象項目名】００３６
【補正方法】変更
【補正の内容】
【００３６】
さらに、前述の偏光板は、サファイアガラスからなるサファイア基板を含んで構成されていることが好ましい。また、前記延出部には、前記偏光板を装着後に曲げて押え込む折り曲げ部が設けられていることが好ましい。また、前記ベース部材の前記プリズム当接部の表面に板状部材が設けられていることが好ましい。また、両端側に設けられた前記突出片の間の寸法は、前記偏光板の幅寸法と略同じであることが好ましい。